(57)【要約】放送中の番組を表すコンテンツデータを確実に記録し、コンテンツデータを適切な記録媒体に記録する記録装置を提供する。録画装置（記録装置）１は、光ディスクドライブ１１とは別に、複数の記憶領域を有する記憶部１２を設けてあり、特定の記憶領域に対応付けて特定の光ディスク（記録媒体）を登録し、更に記憶部１２中に、光ディスクの対応付けをしない予備領域（非関連記憶領域）を設定しておく。録画装置１は、放送中の番組の録画指示を受け付けた場合に、予備領域にコンテンツデータを記憶し、その後、記憶したコンテンツデータを、他の記憶領域にコピーした上で該記憶領域に対応付けられた光ディスクに記録するか、又は、未登録の光ディスクに記録する。録画予約を用いる場合は、録画装置１は、光ディスクを対応付けた記憶領域にコンテンツデータを記憶し、光ディスクにコンテンツデータを記録する。
2010113824.tif 000002
【特許請求の範囲】
【請求項１】
着脱可能な記録媒体にコンテンツデータを記録する記録装置において、
コンテンツデータを記憶することができる複数の記憶領域を有する記憶部と、
記録媒体に固有の媒体情報を前記複数の記憶領域の内の一の記憶領域に関連付けて記憶する手段と、
前記複数の記憶領域の内の一の記憶領域を、媒体情報の関連付けができない非関連記憶領域に設定する手段と、
コンテンツデータの記録指示を受け付ける手段と、
該手段が前記記録指示を受け付けた場合に、前記非関連記憶領域に、前記コンテンツデータを記憶する手段と
を備えることを特徴とする記録装置。
【請求項２】
媒体情報を関連付けている記憶領域に、前記非関連記憶領域に記憶しているコンテンツデータを記憶させる手段と、
前記記憶領域に関連付けて媒体情報を記憶してある記録媒体が装着された場合に、前記記憶領域に記憶しているコンテンツデータの内で前記記録媒体に記録していないコンテンツデータを前記記録媒体に記録する手段と
を更に備えることを特徴とする請求項１に記載の記録装置。
【請求項３】
記憶領域に関連付けて媒体情報を記憶していない記録媒体が装着された場合に、前記非関連記憶領域に記憶しているコンテンツデータを前記記録媒体に記録する手段を更に備えること
を特徴とする請求項１又は２に記載の記録装置。
【請求項４】
コンテンツデータは、放送される番組の内容を表すデータであり、
媒体情報を記憶してある記録媒体に関連付けて、コンテンツデータを記録すべき番組を指定する番組指定情報を記憶する手段と、
記憶してある番組指定情報で指定された番組の放送時に、前記番組指定情報を関連付けられた記録媒体が装着されているか否かを判定する手段と、
前記記録媒体が装着されている場合に、前記記録媒体に前記番組のコンテンツデータを記録する手段と、
前記記録媒体が装着されていない場合に、前記記録媒体の媒体情報を関連付けてある記憶領域に前記番組のコンテンツデータを記憶させる手段と
を更に備えることを特徴とする請求項１から３までのいずれか一つに記載の記録装置。
【発明の詳細な説明】
【技術分野】
【０００１】
本発明は、放送された番組の内容を表す番組データ等のコンテンツデータをブルーレイディスク等の記録媒体に記録する記録装置に関する。
【背景技術】
【０００２】
現在、テレビジョン放送により放送された番組を録画する録画装置（記録装置）が普及している。録画装置には、ハードディスク等の内蔵記録媒体に、番組の映像又は音声等の内容を表す番組データを記録するものと、着脱可能な光ディスク等の可搬型の記録媒体に番組データを記録するものとがある。内蔵記録媒体を用いる録画装置で録画を行った場合は、録画を行った録画装置でしか番組の再生を行うことができず、また、番組データを消去せずに保存し続けたときには記録容量が不足するので、番組データの保存が困難である。従って、他の再生装置で番組を再生するため、又は番組データを保存するために、内蔵記録媒体から可搬型の記録媒体へ番組データをダビングすることが行われる。しかしながら、番組データのダビングには手間がかかり、電子機器の操作に不慣れな使用者にはダビングを行うための操作が困難である。特許文献１には、ハードディスクを用いて一定期間分の録画を行う一方で、可搬型の記録媒体に自動でダビングを行う録画装置が記載されている。この録画装置は、可搬型の記録媒体を識別するＩＤにダビングすべき番組を関連付けておき、記録媒体が装着された場合に、録画された番組の内でその記録媒体のＩＤに関連付けられた番組の番組データをダビングする。この技術により、ダビングすべき番組を登録する作業を一旦行っておけば、可搬型の記録媒体を録画装置に装着するだけで容易にダビングを行うことができる。【０００３】
可搬型の記録媒体に番組データを直接記録することによって録画を行う録画装置では、ダビングを行う必要がない。家庭内で複数の使用者が同一の録画装置を利用する場合、各使用者が自己の記録媒体を保持し、各使用者が自分の欲しい番組を自己の記録媒体に録画することができる。また使用者が複数の録画装置を所有している場合、複数の録画装置を用いて同一の記録媒体に録画を行うこともできる。また特許文献１には、録画予約の情報を可搬型の記録媒体に記録し、記録媒体に記録してある情報に基づいて録画を行う技術が記載されている。この技術により、可搬型の記録媒体に記録された予約情報に基づいて記録媒体に対して録画が行われる。
【先行技術文献】
【特許文献】
【０００４】
【特許文献１】特開２０００−２１５５４７号公報
【発明の概要】
【発明が解決しようとする課題】
【０００５】
録画装置で録画を行う方法には、録画予約を利用する方法とは別に、使用者が録画装置の録画ボタンを押下すること等によって、現在放送中の番組の録画を突然に指示された場合に、指示に従って録画を行う方法がある。着脱可能な記録媒体に番組データを記録する録画装置では、記録媒体が録画装置に装着されていない場合には、放送中の番組の録画を指示されたとしても、録画を行うことができず、録画が不確実であるという問題がある。また記録媒体が装着されている場合であっても、放送中の番組を録画するには不適切な記録媒体が装着されてあり、この記録媒体に番組が録画されてしまうという不適切な状況が発生する虞がある。例えば、録画予約を用いて特定の番組を録画するために装着しておいた記録媒体に別の番組が録画されてしまう状況が発生しうる。【０００６】
本発明は、斯かる事情に鑑みてなされたものであって、その目的とするところは、光ディスク等の記録媒体に記録すべきコンテンツデータを一旦記憶する記憶部を備えることにより、放送中の番組を表す番組データであるコンテンツデータを記録する場合においても、確実に記録を行い、コンテンツデータが適切な記録媒体に記録されることを可能にする記録装置を提供することにある。
【課題を解決するための手段】
【０００７】
本発明に係る記録装置は、着脱可能な記録媒体にコンテンツデータを記録する記録装置において、コンテンツデータを記憶することができる複数の記憶領域を有する記憶部と、記録媒体に固有の媒体情報を前記複数の記憶領域の内の一の記憶領域に関連付けて記憶する手段と、前記複数の記憶領域の内の一の記憶領域を、媒体情報の関連付けができない非関連記憶領域に設定する手段と、コンテンツデータの記録指示を受け付ける手段と、該手段が前記記録指示を受け付けた場合に、前記非関連記憶領域に、前記コンテンツデータを記憶する手段とを備えることを特徴とする。【０００８】
本発明においては、着脱可能な記録媒体に番組データ等のコンテンツデータを記録する記録装置は、複数の記憶領域を有する記憶部を備えており、特定の記憶領域に関連付けて記録媒体に固有の媒体情報を記憶する。記録装置は、特定の記憶領域に対応付けて特定の記録媒体を登録し、また一の記憶領域を媒体情報の関連付けができない非関連記憶領域に設定しておく。記録装置は、即時のコンテンツデータの記録指示を受け付けた場合は、非関連領域にコンテンツデータを記憶することにより、予約なしで放送中の番組の内容を表すコンテンツデータを記録する等、即時のコンテンツデータの記録を可能にする。【０００９】
本発明に係る記録装置は、媒体情報を関連付けている記憶領域に、前記非関連記憶領域に記憶しているコンテンツデータを記憶させる手段と、前記記憶領域に関連付けて媒体情報を記憶してある記録媒体が装着された場合に、前記記憶領域に記憶しているコンテンツデータの内で前記記録媒体に記録していないコンテンツデータを前記記録媒体に記録する手段とを更に備えることを特徴とする。【００１０】
また本発明においては、記録装置は、非関連記憶領域に記憶したコンテンツデータを、記録媒体を対応付けてある記憶領域に記憶させ、この記憶領域に対応付けられた記録媒体が装着された場合に、コンテンツデータを記録媒体に記録する。これにより、放送中の番組を録画したコンテンツデータを既存のライブラリに追加することができる。【００１１】
本発明に係る記録装置は、記憶領域に関連付けて媒体情報を記憶していない記録媒体が装着された場合に、前記非関連記憶領域に記憶しているコンテンツデータを前記記録媒体に記録する手段を更に備えることを特徴とする。【００１２】
また本発明においては、記録装置は、非関連記憶領域に記憶したコンテンツデータを、媒体情報を記憶していない記録媒体に記録することにより、任意にコンテンツデータが記録された記録媒体を作成することが可能となる。【００１３】
本発明に係る記録装置は、コンテンツデータは、放送される番組の内容を表すデータであり、媒体情報を記憶してある記録媒体に関連付けて、コンテンツデータを記録すべき番組を指定する番組指定情報を記憶する手段と、記憶してある番組指定情報で指定された番組の放送時に、前記番組指定情報を関連付けられた記録媒体が装着されているか否かを判定する手段と、前記記録媒体が装着されている場合に、前記記録媒体に前記番組のコンテンツデータを記録する手段と、前記記録媒体が装着されていない場合に、前記記録媒体の媒体情報を関連付けてある記憶領域に前記番組のコンテンツデータを記憶させる手段とを更に備えることを特徴とする。【００１４】
また本発明においては、記録装置は、番組の内容を表すコンテンツデータを記録すべき番組を指定する番組指定情報を記録媒体に関連付けて記憶し、番組の放送時に、番組指定情報が関連付けられた記録媒体が装着されている場合は記録媒体にコンテンツデータを記録する。また記録装置は、番組指定情報が関連付けられた記録媒体が装着されていない場合は、この記録媒体に対応する記憶領域にコンテンツデータを記憶させる。これにより、記録装置では、記録媒体を登録して番組指定情報を記憶しておけば、番組の放送開始時に記録媒体が装着されておらずとも、コンテンツデータは記憶部に記憶され、後日記録媒体に記録される。
【発明の効果】
【００１５】
本発明にあっては、記録装置は、予約なしで放送中の番組の内容を表すコンテンツデータの記録を指示される等、コンテンツデータの記録を突然に指示された場合であっても、記憶部の非関連記憶領域にコンテンツデータを記憶することにより、確実にコンテンツデータを記録することができる。また記録装置は、コンテンツデータの記録を指示された場合は、まずは記憶部の非関連記憶領域にコンテンツデータを記憶するので、不適切な記録媒体にコンテンツデータが記録されることを防止する。また記録装置は、後で記録媒体にコンテンツデータを記録することにより、適切な記録媒体にコンテンツデータが記録されることを可能にする等、本発明は優れた効果を奏する。
【図面の簡単な説明】
【００１６】
【図１】本発明の記録装置である録画装置の外観を示す概念図である。
【図２】本発明の記録装置である録画装置の内部構成を示すブロック図である。
【図３】記憶部の内部構成を示す模式図である。
【図４】記憶部の記憶領域を分割する処理の手順を示すフローチャートである。
【図５】光ディスクドライブに光ディスクが装着されてから録画装置が行う処理の手順を示すフローチャートである。
【図６】録画装置が行う録画予約の処理の手順を示すフローチャートである。
【図７】保存用メモリに記憶した予約情報の内容例を示す概念図である。
【図８】録画装置が行う録画処理の手順を示すフローチャートである。
【図９Ａ】番組データを記録した光ディスク又は番組データを記憶した記憶部の状態を示す概念図である。
【図９Ｂ】番組データを記録した光ディスク又は番組データを記憶した記憶部の状態を示す概念図である。
【図９Ｃ】番組データを記録した光ディスク又は番組データを記憶した記憶部の状態を示す概念図である。
【図１０Ａ】番組データを記録した光ディスク又は番組データを記憶した記憶部の状態を示す概念図である。
【図１０Ｂ】番組データを記録した光ディスク又は番組データを記憶した記憶部の状態を示す概念図である。
【図１０Ｃ】番組データを記録した光ディスク又は番組データを記憶した記憶部の状態を示す概念図である。
【図１１】放送中の番組を録画する処理の手順を示すフローチャートである。
【図１２Ａ】予備領域に記憶した番組データをコピーした記憶部の状態を示す概念図である。
【図１２Ｂ】予備領域に記憶した番組データをコピーした記憶部の状態を示す概念図である。
【図１２Ｃ】予備領域に記憶した番組データをコピーした記憶部の状態を示す概念図である。
【図１３】録画装置が行う同期処理の手順を示すフローチャートである。
【図１４Ａ】光ディスクの記録内容を記憶部の記憶内容に同期させた結果を示す概念図である。
【図１４Ｂ】光ディスクの記録内容を記憶部の記憶内容に同期させた結果を示す概念図である。
【図１４Ｃ】光ディスクの記録内容を記憶部の記憶内容に同期させた結果を示す概念図である。
【図１５Ａ】本発明において番組データを光ディスクに記録する方法を示す概念図である。
【図１５Ｂ】本発明において番組データを光ディスクに記録する方法を示す概念図である。
【図１５Ｃ】本発明において番組データを光ディスクに記録する方法を示す概念図である。
【図１６】録画装置が行う番組再生の処理の手順を示すフローチャートである。
【発明を実施するための形態】
【００１７】
以下本発明をその実施の形態を示す図面に基づき具体的に説明する。
図１は、本発明の記録装置である録画装置１の外観を示す概念図である。録画装置１には、テレビジョン受像機である映像表示装置４が接続されている。録画装置１は、映像表示装置４に対して映像信号及び音声信号を出力し、映像表示装置４は、映像信号に基づいた映像を表示し、音声信号に基づいた音声を出力する。また録画装置１は、使用者によって操作されるリモコン（リモートコントローラ）５からの信号を受信することにより、録画予約の指示等の各種の指示を受け付ける。
【００１８】
図２は、本発明の記録装置である録画装置１の内部構成を示すブロック図である。録画装置１は、図示しない外部のアンテナ等に接続されてあり、デジタル放送の放送波を復調した放送信号を入力される放送入力部３１と、図示しない外部チューナ等の外部装置から映像信号及び音声信号を入力される信号入力部３２とを備えている。更に録画装置１は、リモコン５からの信号を受信するリモコン受信部３３と、映像表示装置４へ映像信号を出力する信号出力部３４と、放送された番組の内容を表す番組データを記録するハイブリッドドライブ部１０と、放送信号又は番組データから映像信号及び番組データを生成する処理を行うバックエンド部２０とを備えている。番組データは映像及び音声からなる番組の内容を表すデジタルデータであり、番組データをデコードすることにより、番組の映像及び音声を再生することができる。番組データは本発明におけるコンテンツデータであり、放送された番組は本発明におけるコンテンツである。
【００１９】
バックエンド部２０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号を入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータを入力され、デジタル放送用のスクランブルを解除する処理等のストリームデータに対するデータ処理を行う。
【００２０】
ストリーム処理部２３は、バックエンド部２０内のシステムバスに接続されている。またシステムバスには、演算を行う演算部を含んでなる録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部分間でのデータの入出力を制御する処理を行う。また録画／再生制御部２４にはバックエンド部２０外のリモコン受信部３３が接続されている。録画／再生制御部２４は、リモコン受信部３３からの信号を入力されることにより、使用者からの各種の指示を受け付ける。なお、録画装置１は、更に、チューナ装置等の外部装置からストリームデータを受信するイーサネット（登録商標）等のデジタルインタフェースを備えていてもよい。このデジタルインタフェースは、ストリーム処理部２３に接続されている。
【００２１】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約に必要な情報等、保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されている。信号出力部３４は、映像信号及び音声信号を映像表示装置４へ出力する。
【００２２】
更に、バックエンド部２０内のシステムバスには、ＳＡＴＡ（Serial Advanced Technology Attachment ）等のインタフェース部２６が接続されており、インタフェース部２６には、バックエンド部２０外のハイブリッドドライブ部１０が接続されている。バックエンド部２０は、インタフェース部２６を介してハイブリッドドライブ部１０との間でデータを交換する。
【００２３】
ハイブリッドドライブ部１０は、バックエンド部２０に接続するＳＡＴＡ等のインタフェース部１４と、光ディスクドライブ１１と、データを記憶する記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。光ディスクドライブ１１は、ブルーレイディスク（登録商標）又はＤＶＤ（Digital Versatile Disk）等の光ディスクを装着され、装着された光ディスクからのデータの読み出し、及び光ディスクへのデータの記録を行う。光ディスクは、光ディスクドライブ１１に対して着脱可能であり、本発明における記録媒体に相当する。記憶部１２は、フラッシュメモリ等の不揮発性メモリ又はハードディスクで構成されてある。
【００２４】
図３は、記憶部１２の内部構成を示す模式図である。記憶部１２は、記憶部１２の記憶内容を管理するための情報を記憶する管理領域、並びに番組データを記憶するための第１領域、第２領域、…、第ｎ領域及び予備領域１２０の複数の記憶領域を含んで構成されている。ここで、ｎは正の整数である。ｎは予め適当な値に定められており、録画装置１の出荷時点では、記憶部１２の記憶領域が管理領域、第１〜第ｎ領域及び予備領域１２０の複数の記憶領域に予め分割されている。
【００２５】
記憶部１２の記憶領域の内、第１〜第ｎ領域は、個別に特定の光ディスクを対応付けておき、対応付けた光ディスクに応じたデータを記憶するための記憶領域である。例えば、第１領域には特定の光ディスク６１が対応付けられ、第２領域には特定の光ディスク６２が対応付けられている。録画装置１の出荷時点では、いずれの領域にも光ディスクは対応付けられていない。録画装置１を使用するには、使用者所有の光ディスクを何れかの記憶領域に対応付けて登録する処理を行う必要がある。また予備領域１２０は、その他のデータを記憶するための本発明に係る非関連記憶領域であり、光ディスクの対応付けができないように設定されている。
【００２６】
記憶部１２の管理領域は、図３に示すように、管理領域を管理するための情報を記憶する管理領域管理部と、第１領域、第２領域、…、第ｎ領域及び予備領域１２０の夫々を管理するための情報を記憶する第１領域管理部、第２領域管理部、…、第ｎ領域管理部及び予備領域管理部とを含んで構成されている。管理領域管理部には、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００２７】
第１領域管理部には、第１記憶領域の番号を示すエントリ番号、第１領域に実際に光ディスクが対応付けられているか否かを示す割り当てフラグ、及び対応付けられた光ディスクを識別するためのメディアＩＤが記憶される。また第１領域管理部には、記憶部１２の記憶領域中で第１領域に割り当てられたエリアのアドレスを示す割り当てエリア情報、光ディスクのコピーガードに利用するための情報であるメディアキー情報、及び第１領域に係るデータの分布状態を示すマップ情報が記憶される。メディアＩＤ及びメディアキー情報は、光ディスクに予め記録されている情報であり、個々の光ディスクについて固有の情報である。即ち、メディアＩＤ及びメディアキー情報は、本発明における媒体情報に相当する。録画装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々にも、同様の情報が記憶される。
【００２８】
予備領域管理部には、予備領域１２０の番号を示すエントリ番号、記憶部１２の記憶領域中で予備領域１２０に割り当てられたエリアのアドレスを示す割り当てエリア情報、及び予備領域１２０に記憶されたデータの分布状態を示すマップ情報が記憶される。エントリ番号としては、例えば（ｎ＋１）が記憶される。予備領域管理部には、割り当てフラグ、メディアＩＤ及びメディアキー情報は記憶されないようになっている。予備領域１２０に光ディスクを対応付けるために必要なこれらの情報が予備領域管理部に記憶されないので、予備領域１２０は、光ディスクの媒体情報の関連付けが禁止された非関連記憶領域となっている。
【００２９】
なお、録画装置１は、記憶部１２の記憶領域が予め分割されているのではなく、使用者がｎの値を指定することによりｎを決定し、ｎの値に応じて記憶部１２の記憶領域を分割する処理を行う形態であってもよい。図４は、記憶部１２の記憶領域を分割する処理の手順を示すフローチャートである。録画／再生制御部２４は、録画装置１に登録できる光ディスクの枚数の指定を受け付けるための受付画面を映像表示装置４に表示させ、使用者が所定の操作を行ったリモコン５からの信号をリモコン受信部３３が受信することによって、登録できる光ディスクの枚数の指定を受け付ける（Ｓ１１）。録画／再生制御部２４は、記憶部１２の管理領域管理部に、指定された枚数の値を、エントリ数ｎとして記憶させることにより、エントリ数を設定する（Ｓ１２）。録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（Ｓ１３）。録画／再生制御部２４は、次に、記憶部１２の管理領域以外の記憶領域を（ｎ＋１）分割し、第１〜第ｎ領域及び予備領域１２０の夫々に割り当てられたエリアのアドレスを示す割り当てエリア情報を、第１〜第ｎ領域管理部及び予備領域管理部の夫々に記憶させることにより、第１〜第ｎ領域及び予備領域１２０を設定する（Ｓ１４）。録画装置１は、以上で記憶部１２の記憶領域を分割する処理を終了する。
【００３０】
次に、以上の構成でなる録画装置１が実行する処理を説明する。図５は、光ディスクドライブ１１に光ディスクが装着されてから録画装置１が行う処理の手順を示すフローチャートである。使用者の操作により光ディスクドライブ１１に光ディスクが装着された場合は、ドライブ制御部１３は、光ディスク中の所定の位置に記録された情報を光ディスクドライブ１１に読み出させることにより、光ディスクのメディアＩＤを読み出し、インタフェース部１４からバックエンド部２０へ入力する。録画／再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（Ｓ２０１）。メディアＩＤが記憶部１２に記憶されておらず、光ディスクが未登録であった場合は（Ｓ２０１：ＮＯ）、録画／再生制御部２４は、光ディスクドライブ１１で光ディスクから読み出したデータに基づき、光ディスクがフォーマット済みの光ディスクであるか否かを判定する（Ｓ２０２）。ステップＳ２０２では、例えば、ｖｏｌｕｍｅ  ｄｅｓｃｒｉｐｔｏｒに基づいて判定を行う。光ディスクがフォーマット済みの光ディスクであった場合は（Ｓ２０２：ＹＥＳ）、録画／再生制御部２４は、光ディスクドライブ１１で光ディスクから読み出したデータに基づき、光ディスクが再生専用の光ディスクであるか否かを判定する（Ｓ２０３）。
【００３１】
光ディスクが再生専用ではなかった場合は（Ｓ２０３：ＮＯ）、録画／再生制御部２４は、光ディスクのフォーマット指示を受け付けたか否かを判定する（Ｓ２０４）。例えば、録画／再生制御部２４は、光ディスクのフォーマット指示を受け付けるための受付画面用の映像信号をデコーダ２８及び画像処理部２９を介して信号出力部３４から映像表示装置４へ送信することにより、映像表示装置４に、フォーマット指示を受け付けるための受付画面を表示させる。受付画面を確認した使用者は、フォーマットを行う際には、リモコン５を操作することによって、フォーマットの指示を入力する。使用者からの所定の操作を受け付けたリモコン５が送信した所定の信号をリモコン受信部３３が受信することによって、光ディスクのフォーマット指示を受け付けた場合（Ｓ２０４：ＹＥＳ）、又はステップＳ２０２で光ディスクがフォーマット済みではなかった場合は（Ｓ２０２：ＮＯ）、録画／再生制御部２４は、ドライブ制御部１３及び光ディスクドライブ１１に、光ディスクをフォーマットさせる（Ｓ２０５）。光ディスクのフォーマット指示の受け付けがない場合は（Ｓ２０４：ＮＯ）、録画／再生制御部２４は、光ディスクの登録指示を受け付けたか否かを判定する（Ｓ２０６）。例えば、録画／再生制御部２４は、登録指示を受け付けるための受付画面を映像表示装置４に表示させ、光ディスクの登録を行うか否かの指示をリモコン受信部３３で受け付ける。なお、フォーマット指示を受け付けるための受付画面と、登録指示を受け付けるための受付画面とを一つに合わせた受付画面を映像表示装置４に表示させる処理を行ってもよい。
【００３２】
ステップＳ２０５が終了した場合、又はステップＳ２０６で光ディスクの登録指示を受け付けた場合は（Ｓ２０６：ＹＥＳ）、録画／再生制御部２４は、記憶部１２の管理領域に記憶された情報に基づき、記憶部１２の第１〜第ｎ領域の内で光ディスクが対応付けられていない記憶領域があるか否かを判定する（Ｓ２０７）。光ディスクが対応付けられていない記憶領域がない場合（Ｓ２０７：ＮＯ）、録画／再生制御部２４は、各記憶領域に対応付けて登録してある光ディスクの内で何れかの光ディスクの登録を解消することの指示を受け付けたか否かを判定する（Ｓ２０８）。例えば、録画／再生制御部２４は、光ディスクの新規登録ができないことを報知した上で既に登録されている光ディスクの登録解消の指示を受け付けるための受付画面を映像表示装置４に表示させ、登録解消をするか否かの指示をリモコン受信部３３で受け付ける。なお、どの光ディスクの登録を解消するかの指示をも受け付ける処理を行ってもよい。登録解消の指示を受け付けた場合は（Ｓ２０８：ＹＥＳ）、録画／再生制御部２４は、ドライブ制御部１３に、記憶部１２の管理領域に記憶されている一の光ディスクに固有の媒体情報を消去させることにより、一の光ディスクの登録を解消する処理を行う（Ｓ２０９）。例えば、記憶部１２の第１領域に対応付けられている光ディスク６１の登録を解消する場合は、録画／再生制御部２４は、記憶部１２の第１領域管理部に記憶されているメディアＩＤ及びメディアキー情報を消去する処理を行う。またこのとき、第１領域管理部に記憶されている割り当てフラグは、光ディスクが対応付けられていないことを示すフラグに書き換えられる。
【００３３】
ステップＳ２０７で光ディスクが対応付けられていない記憶領域がある場合（Ｓ２０７：ＹＥＳ）、又はステップＳ２０９が終了した場合は、録画／再生制御部２４は、光ディスクを記憶領域に対応付けて登録する処理を行う（Ｓ２１０）。ステップＳ２１０では、録画／再生制御部２４は、光ディスクドライブ１１に装着された光ディスクに固有の媒体情報を、光ディスクが対応付けられていない記憶領域に関連付けて記憶部１２の管理領域に記憶することにより、登録処理を行う。例えば、記憶部１２の第１領域に光ディスク６１を対応付ける場合は、録画／再生制御部２４は、光ディスクドライブ１１に装着されている光ディスク６１から読み出したメディアＩＤ及びメディアキー情報を記憶部１２の第１領域管理部に記憶させる処理を行う。また録画／再生制御部２４は、第１記憶管理部に記憶されている割り当てフラグを、光ディスクが対応付けられていることを示すフラグに書き換える。ステップＳ２０１でメディアＩＤが記憶部１２に記憶されており、光ディスクが登録済みであった場合（Ｓ２０１：ＹＥＳ）、又はステップＳ２１０が終了した場合は、録画／再生制御部２４は、録画又は再生等の処理を実行するために、光ディスクドライブ１１に装着されている光ディスクへのアクセスを開始する（Ｓ２１１）。
【００３４】
ステップＳ２０３で光ディスクが再生専用であった場合（Ｓ２０３：ＹＥＳ）、ステップＳ２０６で光ディスクの登録指示の受付がなかった場合（Ｓ２０６：ＮＯ）、又はステップＳ２０８で登録解消の指示の受付がなかった場合は（Ｓ２０８：ＮＯ）、録画／再生制御部２４は、光ディスクドライブ１１に装着されている光ディスクに対して、未登録の光ディスクとしてアクセスを開始する（Ｓ２１２）。録画装置１は、以上で、光ディスクが装着された際の処理を終了する。
【００３５】
録画装置１は、登録された光ディスクが光ディスクドライブ１１に装着されている状態で、録画予約の処理を行う。図６は、録画装置１が行う録画予約の処理の手順を示すフローチャートである。録画／再生制御部２４は、録画すべき番組の指定を受け付けるための受付画面を映像表示装置４に表示させ、使用者が所定の操作を行ったリモコン５からの信号をリモコン受信部３３で受信することによって、録画すべき番組の指定を受け付ける（Ｓ３１）。例えば、映像表示装置４は、ＥＰＧ（電子番組表）を表示し、使用者はＥＰＧを確認しながらリモコン５を操作することによって、番組が電子番組上で指定される。録画／再生制御部２４は、次に、受け付けた番組の指定に従って、録画を予約した番組を指定する予約情報を生成し、光ディスクドライブ１１に装着されている光ディスクのメディアＩＤと関連付けて、予約情報を保存用メモリ２７に記憶させる（Ｓ３２）。録画／再生制御部２４は、次に、ドライブ制御部１３及び光ディスクドライブ１１に、光ディスクドライブ１１に装着されている光ディスクに予約情報を記録させる（Ｓ３３）。録画装置１は、以上で録画予約の処理を終了する。
【００３６】
図７は、保存用メモリ２７に記憶した予約情報の内容例を示す概念図である。メディアＩＤと予約情報とが互いに関連付けられて記憶されている。予約情報は、チャンネル、番組の放送日時を示す情報を含んでおり、これらの情報により録画すべき番組が指定される。即ち、予約情報は、番組データを記録すべき番組を指定する情報であり、本発明における番組指定情報に相当する。なお、予約情報は、メディアＩＤの代わりに、光ディスクが対応する記憶部１２の記憶領域のエントリ番号に関連付けて記憶されてもよい。このようにして、保存用メモリ２７は、登録されている光ディスクに関連付けて予約情報を記憶する。
【００３７】
図８は、録画装置１が行う録画処理の手順を示すフローチャートである。録画／再生制御部２４は、クロックに基づいて日時を計測し、保存用メモリ２７に記憶してある予約情報に含まれる情報が示す番組の放送日時になったか否かを随時判定する（Ｓ４０１）。まだ番組の放送日時ではない場合は（Ｓ４０１：ＮＯ）、録画／再生制御部２４は、日時の計測を続行する。予約情報に含まれる情報が示す番組の放送日時になった場合は（Ｓ４０１：ＹＥＳ）、録画／再生制御部２４は、光ディスクドライブ１１に光ディスクが装着されているか否かを判定する（Ｓ４０２）。光ディスクドライブ１１に光ディスクが装着されている場合は（Ｓ４０２：ＹＥＳ）、録画／再生制御部２４は、光ディスクドライブ１１に装着されている光ディスクが放送日時を示す情報を含む予約情報に関連付けられた光ディスクであるか否かを判定する（Ｓ４０３）。ステップＳ４０３では、録画／再生制御部２４は、光ディスクからメディアＩＤを読み出し、予約情報に関連付けて保存用メモリ２７で記憶してあるメディアＩＤと読み出したメディアＩＤとが一致するか否かに応じて、判定を行う。
【００３８】
ステップＳ４０３で、メディアＩＤが一致してあり、光ディスクが予約情報に関連付けられた光ディスクである場合は（Ｓ４０３：ＹＥＳ）、録画／再生制御部２４は、放送が開始された番組の内容を表す番組データを光ディスクドライブ１１で光ディスクに記録させる処理を行う（Ｓ４０４）。ステップＳ４０４では、デジタルチューナ２１は予約情報が示すチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。ストリームデータは、デコードすることで番組を再生することが可能であり、番組の内容を表す番組データである。更にステップＳ４０４では、録画／再生制御部２４は、ドライブ制御部１３に、番組データを光ディスクドライブ１１で光ディスクに記録させる処理を行う。例えば、放送日時になった番組を指定する予約情報が光ディスク６１に関連付けられてあり、光ディスク６１が光ディスクドライブ１１に装着されてある場合は、光ディスク６１に番組データが記録される。なお、録画／再生制御部２４は、光ディスクに番組データを記録させると共に、記憶部１２の記憶領域の内で、予約情報に関連付けられた光ディスクに対応する記憶領域に番組データを記憶させる処理を行ってもよい。
【００３９】
番組の放送が終了し、番組データの記録が終了した場合、録画／再生制御部２４は、光ディスクに記録した番組データが表す番組のタイトルを示すタイトル情報を光ディスクに記録させる（Ｓ４０６）。番組のタイトルには、ＥＰＧで表示されるタイトル等、デジタルチューナ２１が受信する放送信号に含まれる情報に基づいて決定したタイトルを用いてもよく、また使用者がリモコン５を操作することにより設定されたタイトルを用いてもよい。録画／再生制御部２４は、次に、光ディスクに記録させたタイトル情報と同等のタイトル情報を、保存用メモリ２７に記憶する（Ｓ４０７）。なお、録画／再生制御部２４は、記憶部１２の記憶領域の内で、予約情報に関連付けられた光ディスクに対応する記憶領域にタイトル情報を記憶させる処理を行ってもよい。
【００４０】
ステップＳ４０２で光ディスクドライブ１１に光ディスクが装着されていない場合（Ｓ４０２：ＮＯ）、又はステップＳ４０３でメディアＩＤが一致しておらず、光ディスクが予約情報に関連付けられた光ディスクではない場合は（Ｓ４０３：ＮＯ）、録画／再生制御部２４は、放送が開始された番組の内容を表す番組データを、記憶部１２の記憶領域の内で、予約情報に関連付けられた光ディスクに対応する記憶領域に記憶させる（Ｓ４０５）。例えば、放送日時になった番組を指定する予約情報が光ディスク６１に関連付けられてあり、光ディスクドライブ１１に光ディスクが装着されていないか、又は光ディスクドライブ１１に光ディスク６１以外の光ディスクが装着されている場合は、録画／再生制御部２４は、記憶部１２の第１領域に番組データを記憶させる。番組の放送が終了し、番組データの記録が終了した場合、録画／再生制御部２４は、記憶部１２に記憶させた番組データが表す番組のタイトルを示すタイトル情報を、保存用メモリ２７に記憶する（Ｓ４０７）。
【００４１】
ステップＳ４０７が終了した後は、録画／再生制御部２４は、光ディスクに記録した番組データ又は記憶部１２に記憶した番組データの分布状態を示すマップ情報を、ステップＳ４０７までの処理を反映するように更新する（Ｓ４０８）。録画／再生制御部２４は、次に、録画が終了した番組の予約情報を光ディスク及び保存用メモリ２７から消去する処理を行い（Ｓ４０９）、録画処理を終了する。
【００４２】
図９Ａ、図９Ｂ、図９Ｃ、図１０Ａ、図１０Ｂ及び図１０Ｃは、番組データを記録した光ディスク又は番組データを記憶した記憶部１２の状態を示す概念図である。図９Ａは、ステップＳ４０５によって記憶部１２の第１領域に番組１の番組データが記録された状態を示し、更に、光ディスク６１の記録内容及び第１領域の記録内容の少なくとも一方に含まれる番組データを記録する仮想的なディスク（仮想ディスク）の記録イメージを示す。第１領域に番組１の番組データが記憶されており、それに伴って仮想ディスクにも番組データが記録されている。図９Ｂは、記憶部１２の第１領域管理部に記憶されたマップ情報の内容例を示す。番組データのデータ名に関連付けて、仮想ディスク及び第１領域におけるデータの分布が、先頭アドレス及びデータのサイズによって記録されている。更に、第１領域とディスク６１とでの番組データの同期状態を示す情報が記録されている。仮想ディスクと第１領域とでは、番組データの先頭アドレスが異なるものの、同サイズの番組データが記録されていることが示されている。また番組データは光ディスク６１には記録されていないので、同期状態は未同期となっている。なお、本実施例では、メモリのアドレス及びデータのサイズを十進法の数値で示している。図９Ｃは、タイトル情報の内容例を示す。番組データが表す番組のタイトルに関連付けて、番組が継続する時間の長さ、画質、ダビング可能回数、及び同期状態を示す情報が記録されている。なお、番組データのデータ名とタイトル名とは、図９Ａ、図９Ｂ及び図９Ｃに示したように同一でもよいが、互いに異なっていてもよい。
【００４３】
図１０Ａ、図１０Ｂ及び図１０Ｃは、ステップＳ４０４によって、光ディスク６１に番組１の番組データが記録されると共に、光ディスク６１に対応する第１領域にも番組１の番組データが記憶された状態を示す。図１０Ａに示すように、光ディスク６１には、第１領域に記憶されている番組データと同一の番組データが記録される。録画／再生制御部２４は、仮想ディスクのデータ分布が光ディスクでのデータ分布を反映したデータ分布となるようにマップ情報を更新する。図１０Ｂに示すように、マップ情報では、番組１の番組データが仮想ディスク及び第１領域の両方に記憶され、番組１の番組データに関して光ディスク６１の記録内容と第１領域の記憶内容とが同期していることが記録されている。また図１０Ｂに示すように、マップ情報では、同じ番組を表す番組データの、仮想ディスク上での所在即ち光ディスク上での所在と記憶部１２での所在とが関連付けられてある。従って、マップ情報を参照することによって、光ディスク及び記憶部１２の両方で、同じ番組を表す番組データにアクセスすることができる。また図１０Ｃに示すように、タイトル情報でも、番組１の番組データに関して光ディスク６１と第１領域とで同期していることが記録されている。
【００４４】
録画装置１は、図８のフローチャートで説明した予約情報を利用した録画処理とは別に、リモコン５に設けられた録画ボタンを使用者が押下する等により、放送中の番組の内容を表す番組データを即時に記録することを指示する録画指示を突然に受け付けた場合に、現在放送中の番組を録画する処理を行う。図１１は、放送中の番組を録画する処理の手順を示すフローチャートである。録画／再生制御部２４は、使用者が所定の操作を行ったリモコン５から送信された所定の信号をリモコン受信部３３で受信することによる、録画指示の受付を随時待ち受ける処理を行う（Ｓ４１１）。録画指示の受付がない場合は（Ｓ４１１：ＮＯ）、録画／再生制御部２４は、録画指示の受付の待ち受けを続行する。録画指示を受け付けた場合は（Ｓ４１１：ＹＥＳ）、録画／再生制御部２４は、放送中の番組の内容を表す番組データを予備領域１２０に記憶させる処理を行う（Ｓ４１２）。ステップＳ４１２では、デジタルチューナ２１は、現在設定されているチャンネル又は最後に使用されたチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。なお、ステップＳ４１１でチャンネルを示す情報を含む録画指示を受け付け、デジタルチューナ２１は、録画指示に含まれる情報が示すチャンネルの放送信号をストリームデータへ変換する処理を行ってもよい。更にステップＳ４１２では、録画／再生制御部２４は、ドライブ制御部１３に、番組データを記憶部１２の予備領域１２０に記憶させる処理を行う。
【００４５】
録画／再生制御部２４は、番組データを予備領域１２０に記憶させる処理を行いながら、リモコン５に設けられた録画停止ボタンを使用者が押下する等、使用者が所定の操作を行ったリモコン５から送信された所定の信号をリモコン受信部３３で受信することによる、録画停止指示の受付を待ち受ける処理を行う（Ｓ４１３）。録画停止指示の受付がない場合は（Ｓ４１３：ＮＯ）、録画／再生制御部２４は、番組データの記憶を行いながら、録画停止指示の受付の待ち受けを続行する。録画停止指示を受け付けた場合は（Ｓ４１３：ＹＥＳ）、録画／再生制御部２４は、番組データの記憶を停止する（Ｓ４１４）。なお、録画／再生制御部２４は、ステップＳ４１３で録画停止指示を受け付けずとも、放送中の番組が終了したタイミング等、所定のタイミングで番組データの記憶を停止する処理を行ってもよい。
【００４６】
録画／再生制御部２４は、次に、予備領域１２０に記憶した番組データの記録先の光ディスクを選択するための選択画面を映像表示装置４に表示させる処理を行う（Ｓ４１５）。ステップＳ４１５では、録画／再生制御部２４は、選択画面用の映像信号をデコーダ２８及び画像処理部２９を介して信号出力部３４から映像表示装置４へ送信することにより、映像表示装置４に、選択画面を表示させる。表示される選択画面は、メディアＩＤが記憶部１２の管理領域に記憶されている登録済みの光ディスクの夫々及び未登録の光ディスクのうちのいずれかを選択するための選択肢を含む選択画面である。選択画面を確認した使用者は、リモコン５を操作することによって、何れかの光ディスクを選択する指示を入力し、リモコン５は、入力された指示に応じた信号を録画装置１へ送信する。
【００４７】
録画／再生制御部２４は、リモコン５からの信号をリモコン受信部３３で受信することにより、記録先の選択を受け付け、登録済みの光ディスクの選択を受け付けたか否かを判定する（Ｓ４１６）。登録済みの光ディスクの選択を受け付けた場合は（Ｓ４１６：ＹＥＳ）、録画／再生制御部２４は、記憶部１２の記憶領域の内、選択を受け付けた光ディスクに対応する記憶領域へ、予備領域１２０に記憶した番組データをコピーする（Ｓ４１７）。ステップＳ４１７では、録画／再生制御部２４は、ドライブ制御部１３に、番組データを記憶部１２の予備領域１２０から読み出し、更に光ディスクに対応する記憶領域に記憶させる処理を行う。例えば、番組データの記録先として光ディスク６１が選択された場合は、記憶部１２の第１領域へ番組データがコピーされる。
【００４８】
録画／再生制御部２４は、次に、番組データの記録先として選択された光ディスクが光ディスクドライブ１１に装着されているか否かを判定する（Ｓ４１８）。ステップＳ４１８では、録画／再生制御部２４は、光ディスクドライブ１１に光ディスクが装着されているかを判定し、光ディスクが装着されている場合に、光ディスクのメディアＩＤに基づいて、選択された光ディスクであるかを判定する。番組データの記録先として選択された光ディスクが光ディスクドライブ１１に装着されている場合は（Ｓ４１８：ＹＥＳ）、録画／再生制御部２４は、光ディスクに対応する記憶領域へコピーした番組データを、光ディスクドライブ１１で光ディスクに記録させる処理を行う（Ｓ４１９）。ステップＳ４１９では、録画／再生制御部２４は、ドライブ制御部１３に、番組データを記憶部１２から読み出し、光ディスクドライブ１１で光ディスクに番組データを記録させる処理を行う。
【００４９】
ステップＳ４１８で、番組データの記録先として選択された光ディスクが光ディスクドライブ１１に装着されていない場合（Ｓ４１８：ＮＯ）、又はステップＳ４１９が終了した場合は、録画／再生制御部２４は、記憶部１２に記憶した番組データが表す番組のタイトルを示すタイトル情報を、保存用メモリ２７に記憶する（Ｓ４２０）。録画／再生制御部２４は、次に、記憶部１２の管理領域に記憶されたマップ情報を、記憶部１２に記憶した番組データの分布状態を示すように更新し（Ｓ４２１）、録画処理を終了する。
【００５０】
ステップＳ４１６で、登録済みの光ディスクの選択ではなく未登録の光ディスクの選択を受け付けた場合は（Ｓ４１６：ＮＯ）、録画／再生制御部２４は、未登録の光ディスクが光ディスクドライブ１１に装着されているか否かを判定する（Ｓ４２２）。未登録の光ディスクが光ディスクドライブ１１に装着されていない場合は（Ｓ４２２：ＮＯ）、録画／再生制御部２４は、未登録の光ディスクの装着を指示するメッセージを映像表示装置４に表示させ（Ｓ４２３）、処理をステップＳ４２２へ戻す。未登録の光ディスクが光ディスクドライブ１１に装着されている場合は（Ｓ４２２：ＹＥＳ）、録画／再生制御部２４は、装着している未登録の光ディスクに、光ディスクドライブ１１で、予備領域１２０に記憶した番組データを記録させる処理を行う（Ｓ４２４）。録画／再生制御部２４は、以上で録画処理を終了する。
【００５１】
以上の録画処理により、録画装置１は、放送中の番組を表す番組データを記憶部１２の予備領域１２０に一旦記憶し、次に、登録済みの光ディスクに対応する記憶領域のいずれかに番組データをコピーするか、又は未登録の光ディスクに番組データを記録させる。更に、番組データをコピーした記憶領域に対応付けられた光ディスクが光ディスクドライブ１１に装着されている場合は、番組データを光ディスクに記録させる。なお、図１１のフローチャートで示した処理では、番組データの記憶を停止した直後に記録先の光ディスクの選択を受け付ける処理を示したが、録画装置１は、ステップＳ４１５以降の処理を、ステップＳ２１１又はＳ２１２の処理が終了した後に行う等、番組データを予備領域１２０に記憶する処理とは分離したタイミングで実行する形態でもよい。
【００５２】
図１２Ａ、図１２Ｂ及び図１２Ｃは、予備領域１２０に記憶した番組データをコピーした記憶部１２の状態を示す概念図であり、図１０Ａに示す状態の第１領域に対して予備領域１２０から番組２の番組データがコピーされ、光ディスク６１にはまだ番組２の番組データが記録されていない状態を示す。図１２Ａに示すように、第１領域及び仮想ディスクには、番組２の番組データが記憶され、光ディスクドライブ１１に装着されていない光ディスク６１には、まだ番組２の番組データは記録されていない。図１２Ｂに示すように、マップ情報では、番組１及び番組２の番組データが仮想ディスク及び第１領域の両方に記憶され、光ディスク６１に記録されていない番組２の番組データに関しては、光ディスク６１の記録内容と第１領域の記憶内容とが未同期であることが記録されている。また図１２Ｃに示すように、タイトル情報でも、番組２の番組データに関して光ディスク６１と第１領域とで未同期であることが記録されている。
【００５３】
録画装置１は、ステップＳ２１１で登録済みの光ディスクにアクセスを開始した後、光ディスクの記録内容を記憶部１２の対応する記憶領域での記憶内容に同期させる処理を行う。図１３は、録画装置１が行う同期処理の手順を示すフローチャートである。ステップＳ２１１で光ディスクにアクセスを開始した後、録画／再生制御部２４は、光ディスクの記録内容と、記憶部１２の記憶領域の内で光ディスクに対応する記憶領域での記憶内容とを比較し、光ディスクに未記録の番組データが、当該光ディスクに対応する記憶領域に記憶されているか否かを判定する（Ｓ５１）。ステップＳ５１では、例えば、光ディスク６１に未記録の番組データが記憶部１２の第１記憶領域に記憶されているか否かを判定する。未記録の番組データが記憶されている場合は（Ｓ５１：ＹＥＳ）、録画／再生制御部２４は、記憶部１２から光ディスクへ未記録の番組データをコピーする（Ｓ５２）。ステップＳ５２では、録画／再生制御部２４は、ドライブ制御部１３に、記憶部１２から未記録の番組データを読み出させ、読み出した番組データを光ディスクドライブ１１で光ディスクに記録させる。
【００５４】
録画／再生制御部２４は、次に、番組データを光ディスクが記録した状態を反映させるように、保存用メモリ２７に記憶したタイトル情報を更新し（Ｓ５３）、記憶部１２の管理領域で記憶するマップ情報を更新する（Ｓ５４）。ステップＳ５４では、録画／再生制御部２４は、例えば、光ディスク６１が番組データを記録した状態を反映するように、記憶部１２の第１領域管理部で記憶したマップ情報を更新する。録画／再生制御部２４は、次に、光ディスクに記録した番組データに係る予約情報、即ち、その番組データが表す番組を録画するために生成した予約情報が光ディスクに記録されているか否かを判定する（Ｓ５５）。光ディスクに記録した番組データに係る予約情報が光ディスクに記録されている場合は（Ｓ５５：ＹＥＳ）、録画／再生制御部２４は、ドライブ制御部１３に、光ディスクドライブ１１で光ディスクから該当する予約情報を消去させる（Ｓ５６）。
【００５５】
ステップＳ５１で光ディスクに未記録の番組データが記憶されていない場合（Ｓ５１：ＮＯ）、ステップＳ５５で光ディスクに記録した番組データに係る予約情報が光ディスクに記録されていない場合（Ｓ５５：ＮＯ）、又はステップＳ５６が終了した後は、録画／再生制御部２４は、保存用メモリ２７で未記憶の予約情報が光ディスクに記録されているか否かを判定する（Ｓ５７）。保存用メモリ２７で未記憶の予約情報が光ディスクに記録されている場合は（Ｓ５７：ＹＥＳ）、録画／再生制御部２４は、未記憶の予約情報を光ディスクから保存用メモリ２７へコピーする（Ｓ５８）。ステップＳ５８では、録画／再生制御部２４は、ドライブ制御部１３に、光ディスクドライブ１１で光ディスクから未記憶の予約情報を読み出させ、インタフェース部１４を介してバックエンド部２０へ予約情報を入力させ、入力された予約情報を保存用メモリ２７に記憶する。ステップＳ５６及びＳ５８の処理により、光ディスクに記録される予約情報と保存用メモリ２７に記憶される予約情報とが一致することになる。ステップＳ５７で未記憶の予約情報が光ディスクに記録されていない場合（Ｓ５７：ＮＯ）、又はステップＳ５８が終了した後は、録画／再生制御部２４は、同期の処理を終了する。以上の同期の処理により、ステップＳ４０１〜Ｓ４０９の処理又はステップＳ４１１〜Ｓ４２４の処理で記憶部１２に記憶されたもののまだ光ディスクに記録されていない番組データが光ディスクに記録されることとなる。
【００５６】
図１４Ａ、図１４Ｂ及び図１４Ｃは、光ディスクの記録内容を記憶部１２の記憶内容に同期させた結果を示す概念図であり、図１２Ａに示す状態で光ディスク６１が光ディスクドライブ１１に装着された場合の同期結果を示す。図１４Ａに示すように、光ディスク６１には、第１領域に記憶されている番組データと同一の番組１及び番組２の番組データが記録される。仮想ディスクのデータ分布は、光ディスクでのデータ分布を反映したデータ分布となっている。また図１４Ｂに示すように、マップ情報では、番組１及び番組２の番組データが仮想ディスク及び第１領域の両方に記憶され、両方の番組データに関して光ディスク６１の記録内容と第１領域の記憶内容とが同期していることが記録されている。またマップ情報では、同じ番組を表す番組データの、仮想ディスク上での所在即ち光ディスク上での所在と記憶部１２での所在とが関連付けられてある。従って、マップ情報を参照することによって、光ディスク及び記憶部１２の両方で、同じ番組を表す番組データにアクセスすることができる。また図１４Ｃに示すように、タイトル情報でも、番組１及び番組２の番組データに関して光ディスク６１と第１領域とで同期していることが記録されている。なお、以上の説明では、説明を簡単にするためにアドレス及びデータサイズを十進法の数値で示したが、実際には１６進法の数値等、十進法以外の数値でアドレス及びデータサイズが管理されることも多い。
【００５７】
図１５Ａ、図１５Ｂ及び図１５Ｃは、本発明において番組データを光ディスクに記録する方法を示す概念図である。図１５Ａに示すように、録画装置１は、光ディスク６１に関連付けられた予約情報を用いた録画処理により、光ディスク６１に対応する記憶部１２の第１領域に番組１の番組データを記憶する。また、録画装置１は、放送中の番組の内容を表す番組データの記録を指示する録画指示を受け付けたことに応じた録画処理により、記憶部１２の予備領域１２０に番組２の番組データを記憶する。また図１５Ｂに示すように、録画装置１は、第１領域に記憶した番組１の番組データを、第１領域に対応付けられた光ディスク６１に記録し、予備領域１２０に記憶した番組２の番組データを、未登録の光ディスク６０に記録する。或いは、図１５Ｃに示すように、録画装置１は、予備領域１２０に記憶した番組２の番組データを第１領域にコピーし、第１領域に記憶した番組１及び番組２の番組データを光ディスク６１に記録する。
【００５８】
録画装置１は、同期処理を終了した後、光ディスクに記録されている番組データに基づいて番組を再生することができる。図１６は、録画装置１が行う番組再生の処理の手順を示すフローチャートである。使用者がリモコン５に対して所定の操作を行うことにより、リモコン受信部３３は番組再生処理の開始指示を受け付け、録画／再生制御部２４は、光ディスクに記録されている番組データが表す番組の中から再生すべき番組を選択するための番組選択画面を映像表示装置４に表示させる（Ｓ６１）。ステップＳ６１では、録画／再生制御部２４は、保存用メモリ２７で記憶しているタイトル情報から、光ディスクドライブ１１に装着された光ディスクに記録されている番組データが表す番組のタイトルを抽出し、抽出したタイトル含む番組選択画面を表示するために必要な映像信号を信号出力部３４から映像表示装置４へ出力させる。映像表示装置４は、録画装置１からの映像信号に基づいて番組選択画面を表示する。番組選択画面では、光ディスクに記録されている番組データが表す番組、即ち再生可能な番組の一覧が表示される。なお、録画／再生制御部２４は、図１３のフローチャートで示した同期処理が終了した後、直ぐにステップＳ６１の処理を実行してもよい。
【００５９】
番組選択画面を確認した使用者がリモコン５を操作し、リモコン５からの信号をリモコン受信部３３で受信することにより、録画／再生制御部２４は、使用者から、再生すべき番組の選択を受け付ける。ステップＳ６１の後、録画／再生制御部２４は、再生すべき番組の選択を受け付けることによる、番組再生の指示の受付を待ち受ける（Ｓ６２）。番組再生の指示の受付がない場合は（Ｓ６２：ＮＯ）、録画／再生制御部２４は、番組再生の指示の受付の待ち受けを続行する。番組再生の指示を受け付けた場合は（Ｓ６２：ＹＥＳ）、録画／再生制御部２４は、記憶部１２の光ディスクに対応付けられた記憶領域に、再生すべき番組を表す番組データが記憶されているか否かを判定する（Ｓ６３）。例えば、光ディクス６１に記録された番組データが表す番組１を再生すべき場合に、第１領域に番組１の番組データが記憶されているか否かを判定する。ステップＳ６３では、録画／再生制御部２４は、タイトル情報を参照し、再生すべき番組のタイトル名に関連付けられた同期状態の情報が同期を示している場合に記憶部１２に番組データが記憶されていると判定し、同期を示していない場合に番組データが記憶されていないと判定すればよい。なお、録画／再生制御部２４は、記憶部１２の管理領域に記憶されたマップ情報を参照することによって、記憶部１２に番組データが記憶されているか否かを判定する処理を行ってもよい。
【００６０】
記憶部１２の光ディスクに対応付けられた記憶領域に、再生すべき番組を表す番組データが記憶されている場合は（Ｓ６３：ＹＥＳ）、録画／再生制御部２４は、記憶部１２に記憶されている番組データに基づいて番組を再生する処理を行う（Ｓ６４）。ステップＳ６４では、録画／再生制御部２４は、記憶部１２の管理領域に記憶されたマップ情報を参照することにより、番組データが記憶されているアドレスを特定し、ドライブ制御部１３に、再生すべき番組を表す番組データを記憶部１２から読み出させ、インタフェース部１４を介してバックエンド部２０へ番組データを入力させる。更に録画／再生制御部２４は、デコーダ２８に、入力された番組データを映像信号及び音声信号へデコードさせ、画像処理部２９に画像処理を行わせ、信号出力部３４から映像表示装置４へ映像信号及び音声信号を出力させる。映像表示装置４は、録画装置１からの映像信号及び音声信号に基づいて映像の表示及び音声の出力を行うことにより、番組を再生する。
【００６１】
記憶部１２の光ディスクに対応付けられた記憶領域に、再生すべき番組を表す番組データが記憶されていない場合は（Ｓ６３：ＮＯ）、録画／再生制御部２４は、光ディスクドライブ１１に装着されている光ディスクに記録された番組データに基づいて番組を再生する処理を行う（Ｓ６５）。ステップＳ６５では、録画／再生制御部２４は、ドライブ制御部１３に、再生すべき番組を表す番組データを光ディスクドライブ１１で光ディスクから読み出させ、インタフェース部１４を介してバックエンド部２０へ番組データを入力させる。更に録画／再生制御部２４は、デコーダ２８に番組データをデコードさせ、画像処理部２９に画像処理を行わせ、信号出力部３４から映像信号及び音声信号を出力させる。映像表示装置４は、録画装置１からの映像信号及び音声信号に基づいて番組を再生する。
【００６２】
以上詳述した如く、本発明の記録装置である録画装置１は、光ディスクドライブ１１とは別に、複数の記憶領域を有する記憶部１２を設けてあり、特定の記憶領域に関連付けて光ディスクのメディアＩＤを記憶することにより、特定の記憶領域に対応付けて特定の光ディスクを登録してある。録画装置１は、録画のための予約情報を光ディスクに関連付けて記憶し、番組の放送時には、光ディスクが装着されている場合は光ディスクに番組データを記録し、光ディスクが装着されていない場合は光ディスクに対応する記憶領域に番組データを記憶させる。また録画装置１は、放送中の番組の番組データを記録するための録画指示を受け付けた場合に、記憶部１２に含まれる予備領域１２０に番組データを記憶し、その後、使用者の指示に応じて登録済みの光ディスク又は未登録の光ディスクに、予備領域１２０に記憶した番組データを記録する。
【００６３】
放送中の番組を表す番組データを記憶部１２の予備領域１２０に記憶することにより、録画装置１は、放送中の番組の録画を突然に指示された場合であっても、確実に放送中の番組の録画を行うことができる。また録画装置１は、放送中の番組を録画する場合は、光ディスクが装着されていたとしても、光ディスクへの番組データの記録を行わずにまずは予備領域１２０に番組データを記憶する。従って、特定の番組を録画するために装着しておいた光ディスクに別の番組が録画されてしまう等、番組データを記録すべきでない光ディスクに番組データが記録されてしまう不適切な状況の発生を防止することができる。予備領域１２０に記憶した番組データは、メディアＩＤを記憶領域に関連付けて記憶してある登録済みの光ディスクに記録することができるので、録画装置１は、放送中の番組を録画した番組データを既存のライブラリに追加することができる。また予備領域１２０に記憶した番組データは、メディアＩＤを記憶部１２に記憶していない未登録の光ディスクに記録することもできるので、録画装置１は、計画的に番組データが記録された光ディスクとは別に、任意に番組データが記録された光ディスクを作成することが可能となる。
【００６４】
また録画装置１は、一旦光ディスクを登録し、光ディスクに関連付けて予約情報を記憶しておけば、番組の放送開始時に光ディスクが装着されておらずとも、番組データを記憶に記憶し、後日光ディスクが装着されたときに番組データを光ディスクに記録する。従って、番組の放送開始時になっても使用者が録画装置１に光ディスクを装着し忘れていた場合であっても、録画装置１は、確実に番組を録画することができる。また番組データを記録させるべき特定の光ディスクとは別の光ディスクを使用者が誤って録画装置１に装着した場合であっても、誤って装着された光ディスクに番組データが記録されることがなく、後日正しい光ディスクに番組データが記録される。このように、本発明においては、確実な番組データの記録を可能にする。また録画装置１は、記憶部１２に記憶してある番組データに基づいて番組を再生することができるので、スムーズな番組の再生が可能であり、使用者に与えるストレスを抑制することができる。
【００６５】
なお、本実施の形態においては、光ディスクに固有の媒体情報として光ディスクに予め記録されているメディアＩＤを使用する形態を示したが、これに限るものではなく、録画装置１は、光ディスク毎に異なる情報を光ディスクに書き込み、書き込んだ情報をメディアＩＤとして利用してもよい。また本実施の形態においては、デジタルチューナ２１で放送信号を受信する形態を示したが、録画装置１はアナログ放送の放送信号を受信するアナログチューナを備えた形態であってもよい。アナログチューナを備えた形態では、アナログチューナはエンコーダ２２に接続される。また本実施の形態においては、録画ボタンを使用者が押下することにより、即時の番組データの記録指示を受け付ける形態を示したが、録画装置１は、その他の方法で番組データの記録の指示を受け付ける形態であってもよい。例えば、録画装置１は、現在放送中の番組を含むＥＰＧを映像表示装置４に表示させ、ＥＰＧを用いて放送中の番組を選択することにより、番組データの記録の指示を受け付ける形態であってもよい。
【００６６】
また本実施の形態においては、本発明における着脱可能な記録媒体として光ディスクを用いる形態を示したが、これに限るものではなく、本発明は、着脱可能な記録媒体として、可搬型のハードディスク又はメモリカード等、その他の記録媒体を用いる形態であってもよい。また本実施の形態においては、本発明の記録装置は録画装置１であるとしたが、これに限るものではなく、本発明の記録装置は、映像表示装置４と録画装置１とが一体となった形態であってもよい。また本実施の形態においては、本発明の記録装置としてテレビジョン放送により放送された番組の番組データを記録する形態を示したが、これに限るものではなく、本発明の記録装置は、音声放送又はデータ放送等、テレビジョン放送以外の放送で放送される番組の番組データを記録する形態であってもよい。
【００６７】
また本実施の形態においては、本発明におけるコンテンツデータが番組データである形態を示したが、これに限るものではなく、コンテンツデータは、任意のプログラムデータ、映像データ又は音声データ等、放送された番組の番組データ以外のデータであってもよい。この場合、本発明の記録装置は、これら番組データ以外のコンテンツデータの入力を受け付け、入力されたコンテンツデータを記憶部１２の予備領域１２０に記憶する形態であればよい。
【符号の説明】
【００６８】
１  録画装置（記録装置）
１０  ハイブリッドドライブ部
１１  光ディスクドライブ
１２  記憶部
１２０  予備領域（非関連記憶領域）
１３  ドライブ制御部
２０  バックエンド装置
２１  デジタルチューナ
２３  ストリーム処理部
２４  録画／再生制御部
２７  保存用メモリ
２８  デコーダ
２９  画像処理部
３３  リモコン受信部
３４  信号出力部
４  映像表示装置
５  リモコン（リモートコントローラ）
６０、６１  光ディスク（記録媒体）
【図１】
2010113824.tif 000003
【図２】
2010113824.tif 000004
【図３】
2010113824.tif 000005
【図４】
2010113824.tif 000006
【図５】
2010113824.tif 000007
【図６】
2010113824.tif 000008
【図７】
2010113824.tif 000009
【図８】
2010113824.tif 000010
【図９Ａ】
2010113824.tif 000011
【図９Ｂ】
2010113824.tif 000012
【図９Ｃ】
2010113824.tif 000013
【図１０Ａ】
2010113824.tif 000014
【図１０Ｂ】
2010113824.tif 000015
【図１０Ｃ】
2010113824.tif 000016
【図１１】
2010113824.tif 000017
【図１２Ａ】
2010113824.tif 000018
【図１２Ｂ】
2010113824.tif 000019
【図１２Ｃ】
2010113824.tif 000020
【図１３】
2010113824.tif 000021
【図１４Ａ】
2010113824.tif 000022
【図１４Ｂ】
2010113824.tif 000023
【図１４Ｃ】
2010113824.tif 000024
【図１５Ａ】
2010113824.tif 000025
【図１５Ｂ】
2010113824.tif 000026
【図１５Ｃ】
2010113824.tif 000027
【図１６】
2010113824.tif 000028
【国際調査報告】
2010113824.tif 000029
2010113824.tif 000030